(57)【要約】      （修正有）【課題】複数電解槽式電解水生成装置における一定の電解条件での電解運転において、所望の殺菌能を有する異なるｐＨの電解生成酸性水を選択的に生成する装置の提供。【解決手段】電解生成酸性水専用の抽出管路と電解生成アルカリ性水専用の抽出管路を有する第１の有隔膜電解槽１０および第２の有隔膜電解槽２０が並列配置され、これら両有隔膜電解槽の電解生成酸性水専用の抽出管路同士１５ａ，２５ａおよび電解生成アルカリ性水専用抽出管路１５ｂ，２５ｂ同士が互いに接続されている複数電解槽式電解水生成装置であり、各有隔膜電解槽の一方の電解槽２０が有する電解生成アルカリ性水専用の抽出管路２５ｂは、各有隔膜電解槽の他方の電解槽１０が有する電解生成酸性水専用の抽出管路１５ａに接続する分岐管路２５ｂ1を有し、電解生成アルカリ性水専用の抽出管路の分岐部には流路切換弁２８が介装されている。【選択図】図１
2009050779.tif 000002
【特許請求の範囲】
【請求項１】
電解生成酸性水専用の抽出管路と電解生成アルカリ性水専用の抽出管路を有する第１の有隔膜電解槽および第２の有隔膜電解槽が並列配置され、これら両有隔膜電解槽の前記電解生成酸性水専用の抽出管路同士および前記電解生成アルカリ性水専用の抽出管路同士が互いに接続されている複数電解槽式電解水生成装置であり、前記各有隔膜電解槽の一方の電解槽が有する電解生成アルカリ性水専用の抽出管路は、前記各有隔膜電解槽の他方の電解槽が有する電解生成酸性水専用の抽出管路に接続する分岐管路を有し、前記電解生成アルカリ性水専用の抽出管路の分岐部には流路切換弁が介装されていることを特徴とする複数電解槽式電解水生成装置。
【請求項２】
電解生成酸性水専用の抽出管路と電解生成アルカリ性水専用の抽出管路を有する第１の有隔膜電解槽および第２の有隔膜電解槽が並列配置され、これら両有隔膜電解槽の前記電解生成酸性水専用の抽出管路同士および前記電解生成アルカリ性水専用の抽出管路同士が互いに接続されている複数電解槽式電解水生成装置であり、前記各有隔膜電解槽の一方の電解槽が有する電解生成アルカリ性水専用の抽出管路は、前記各有隔膜電解槽の他方の電解槽が有する電解生成酸性水専用の抽出管路に接続する分岐管路を有するとともに、前記各有隔膜電解槽の他方の電解槽が有する電解生成アルカリ性水専用の抽出管路は同電解槽が有する電解生成酸性水専用の抽出管路に接続する分岐管路を有し、これらの電解生成アルカリ性水専用の抽出管路の分岐部には流路切換弁がそれぞれ介装されていることを特徴とする複数電解槽式電解水生成装置。
【発明の詳細な説明】
【技術分野】
【０００１】
本発明は、複数槽の有隔膜電解槽を並列配置してなる複数電解槽式電解水生成装置に関する。
【背景技術】
【０００２】
電解水生成装置の一形式として、互いに並列配置された第１の有隔膜電解槽および第２の有隔膜電解槽を有する複数の電解槽を備える形式の電解水生成装置、所謂、複数電解槽式電解水生成装置がある。当該複数電解槽式電解水生成装置は、一度の電解運転で多量の電解生成水を得ることを意図したもので、第１の有隔膜電解槽および第２の有隔膜電解槽は共に、電解生成酸性水専用の抽出管路および電解生成アルカリ性水専用の抽出管路を有していて、これらの抽出管路は、電解生成酸性水専用の抽出管路同士、および、電解生成アルカリ性水専用の抽出管路同士が接続されている。
【０００３】
このように構成されている複数電解槽式電解水生成装置においては、第１の有隔膜電解槽および第２の有隔膜電解槽で生成された電解生成酸性水は、電解生成酸性水専用の抽出管路にて互いに合流されて抽出され、また、第１の有隔膜電解槽および第２の有隔膜電解槽で生成された電解生成アルカリ性水は、電解生成アルカリ性水専用の抽出管路にて互いに合流されて抽出されるように構成されている（特許文献１を参照）。
【０００４】
しかして、電解生成水を使用する用途の面から検討すると、電解生成酸性水は殺菌能を有することから、手足等の身体の一部の消毒、各種の厨房機器や器具等の消毒、野菜等の生育途中の植物の病原菌や病害虫の駆除、野菜等の食材の消毒等に使用され、また、電解生成アルカリ性水は洗浄能を有することから、各種の厨房機器や器具等、その他の物の洗浄に使用される。
【０００５】
特に、電解生成酸性水を使用する際に注意を要することは、異なるｐＨの電解生成酸性水を用途に応じて使分けすることにある。例えば、手足等の身体の一部の消毒には、ｐＨが低くて殺菌能が高い強酸性や酸性の電解生成酸性水を使用することが好ましく、また、生育途中の植物の病原菌や病害虫の駆除や、食材である食物の消毒では、これらの植物や食物が強酸に弱いことから、ｐＨが比較的高くて殺菌能が比較的低いが、酸性または弱酸性の電解生成酸性水を使用することが好ましい。
【０００６】
また、強酸性の電解生成酸性水はｐＨが低いことから、殺菌能を有する成分である次亜塩素酸が塩素ガスとして消失し易くて環境に影響を及ぼし易く、また、周囲の金属製の機械器具等に錆を発生させ易いことから、電解生成酸性水を使用する環境によっては、殺菌能は若干劣るとしても、ｐＨが比較的高い酸性または弱酸性の電解生成酸性水を使用することが好ましい。
【０００７】
このように、電解生成水の用途の面からすれば、必要により、電解水生成装置を一定の電解条件で電解運転する場合にあっても、ｐＨの異なる電解生成酸性水を選択的に生成することができるようにすることが望まれる。１台の電解水生成装置でｐＨの異なる電解生成酸性水を選択的に生成することができる電解水生成装置については、すでに提案されている（特許文献２を参照）。
【０００８】
特許文献２にて提案されている電解水生成装置は、一対の有隔膜電解槽を並列状態に一体に備えるもので、両有隔膜電解槽で生成された電解生成酸性水を合体して収容する希釈撹拌槽を備え、希釈撹拌槽内に収容されている電解生成酸性水に水、または、有隔膜電解槽で生成された電解生成アルカリ性水を供給して撹拌希釈し、水または電解生成アルカリ性水の供給量に応じて希釈された電解生成酸性水を生成するものである。当該電解水生成装置によれば、水または電解生成アルカリ性水の供給量に応じて、ｐＨが約３．５〜約６．０の範囲の任意の電解生成酸性水を選択的に生成されるとしている。
【特許文献１】特開平８−２６７０７０号公報
【特許文献２】特開平８−３１８２７９号公報
【発明の開示】
【発明が解決しようとする課題】
【０００９】
このように、上記した特許文献２にて提案されている電解水生成装置は、ｐＨが約３．５〜約６．０の範囲の任意の電解生成酸性水を、選択的に生成することができるものであるとしている。当該電解水生成装置では、各有隔膜電解槽で生成された電解生成酸性水を一旦希釈撹拌槽に収容し、収容した電解生成酸性水に水または電解生成アルカリ性水を添加した状態で撹拌して所望のｐＨに調製された電解生成酸性水を生成することから、これらの混合比を厳格に管理すれば、所望のｐＨの電解生成酸性水を生成することができる。しかしながら、所望のｐＨの電解生成酸性水を生成するには、希釈撹拌槽に収容されている電解生成酸性水を十分に撹拌することが不可避であって、撹拌途中の電解生成酸性水からは、殺菌能を有する塩素成分の多くが塩素ガスとして揮発することから、所望の殺菌能を有する電解生成酸性水を生成することは難しい。
【００１０】
また、当該電解水生成装置では、有隔膜電解槽と同等またはそれ以上の容量を有する希釈撹拌槽が不可欠であることから、電解水生成装置を設置するのに、希釈撹拌槽の大きさ以上の余剰の設置場所を確保しなければならない。このため、余剰の設置場所を要する希釈撹拌槽を備えていない電解水生成装置が望まれる。
【００１１】
従って、本発明の目的はこれらの問題に対処することにあり、本発明は、複数電解槽式電解水生成装置において、所望の殺菌能を有する異なるｐＨの電解生成酸性水を選択的に生成することができるようにすることを意図する。
【課題を解決するための手段】
【００１２】
本発明は、複数電解槽式電解水生成装置に関する。本発明が適用対象とする電解水生成装置は、電解生成酸性水専用の抽出管路と電解生成アルカリ性水専用の抽出管路を有する第１の有隔膜電解槽および第２の有隔膜電解槽が並列配置され、これら両有隔膜電解槽の前記電解生成酸性水専用の抽出管路同士および前記電解生成アルカリ性水専用の抽出管路同士が互いに接続されている形式の複数電解槽式電解水生成装置である。
【００１３】
しかして、本発明に係る第１の複数電解槽式電解水生成装置は、上記した形式の複数電解槽式電解水生成装置であって、前記各有隔膜電解槽の一方の電解槽が有する電解生成アルカリ性水専用の抽出管路は、前記各有隔膜電解槽の他方の電解槽が有する電解生成酸性水専用の抽出管路に接続する分岐管路を有し、前記電解生成アルカリ性水専用の抽出管路の分岐部には流路切換弁が介装されていることを特徴とするものである。
【００１４】
また、本発明に係る第２の複数電解槽式電解水生成装置は、上記した形式の複数電解槽式電解水生成装置であって、前記各有隔膜電解槽の一方の電解槽が有する電解生成アルカリ性水専用の抽出管路は、前記各有隔膜電解槽の他方の電解槽が有する電解生成酸性水専用の抽出管路に接続する分岐管路を有するとともに、前記各有隔膜電解槽の他方の電解槽が有する電解生成アルカリ性水専用の抽出管路は、同電解槽が有する電解生成酸性水専用の抽出管路に接続する分岐管路を有し、これらの電解生成アルカリ性水専用の抽出管路の分岐部には流路切換弁がそれぞれ介装されていることを特徴とするものである。
【発明の効果】
【００１５】
本発明に係る第１の複数電解槽式電解水生成装置においては、その第１の電解運転では、両有隔膜電解槽が有する電解生成酸性水専用の抽出管路同士が互いに接続し、かつ、両有隔膜電解槽が有する電解生成アルカリ性水専用の抽出管路同士を互いに接続している状態で電解運転することができる。この場合には、電解生成酸性水専用の抽出管路からは、設定されている電解条件に対応する特性の強酸性の電解生成酸性水が抽出され、また、電解生成アルカリ性水専用の抽出管路からは、設定されている電解条件に対応する特性の強アルカリ性の電解生成アルカリ性水が抽出される。
【００１６】
また、本発明に係る第１の当該複数電解槽式電解水生成装置においては、その第２の電解運転では、両有隔膜電解槽が有する電解生成酸性水専用の抽出管路同士が互いに接続し、かつ、一方の有隔膜電解槽が有する電解生成アルカリ性水専用の抽出管路を、分岐管路を介して、他方の有隔膜電解槽が有する電解生成酸性水専用の抽出管路に接続させた状態で電解運転することができる。この場合には、電解生成酸性水専用の抽出管路からは、設定されている電解条件に対応する特性の強酸性の電解生成酸性水と強アルカリ性の電解生成アルカリ性水とが合体された酸性または弱酸性の電解生成酸性水が抽出され、また、電解生成アルカリ性水専用の抽出管路からは、設定されている電解条件に対応する特性の強アルカリ性の電解生成アルカリ性水が抽出される。
【００１７】
一方、本発明に係る第２の複数電解槽式電解水生成装置においては、その第１の電解運転では、両有隔膜電解槽が有する電解生成酸性水専用の抽出管路同士が互いに接続し、かつ、両有隔膜電解槽が有する電解生成アルカリ性水専用の抽出管路同士が互いに接続している状態で電解運転することができる。この場合には、電解生成酸性水専用の抽出管路からは、設定されている電解条件に対応する特性の強酸性の電解生成酸性水が抽出され、また、電解生成アルカリ性水専用の抽出管路からは、設定されている電解条件に対応する特性の強アルカリ性の電解生成酸性水が抽出される。
【００１８】
また、本発明に係る第２の該複数電解槽式電解水生成装置においては、その第２の電解運転では、両有隔膜電解槽が有する電解生成酸性水専用の抽出管路同士が互いに接続し、かつ、一方の有隔膜電解槽が有する電解生成アルカリ性水専用の抽出管路を、分岐管路を介して、他方の有隔膜電解槽が有する電解生成酸性水専用の抽出管路に接続させた状態で電解運転することができる。この場合には、電解生成酸性水専用の抽出管路からは、設定されている電解条件に対応する特性の強酸性の電解生成酸性水と強アルカリ性の電解生成アルカリ性水とが合体された酸性または弱酸性の電解生成酸性水が抽出され、また、電解生成アルカリ性水専用の抽出管路からは、設定されている電解条件に対応する特性の強アルカリ性の電解生成アルカリ性水が抽出される。
【００１９】
また、本発明に係る第２の複数電解槽式電解水生成装置においては、その第３の電解運転では、両有隔膜電解槽が有する電解生成酸性水専用の抽出管路同士が互いに接続し、かつ、他方の有隔膜電解槽が有する電解生成アルカリ性水専用の抽出管路を、分岐管路を介して、自ら有する電解生成酸性水専用の抽出管路に接続させた状態で電解運転することができる。この場合には、電解生成酸性水専用の抽出管路からは、設定されている電解条件に対応する特性の強酸性の電解生成酸性水と強アルカリ性の電解生成アルカリ性水とが合体された酸性または弱酸性の電解生成酸性水が抽出され、また、電解生成アルカリ性水からは、設定されている電解条件に対応する特性の強アルカリ性の電解生成アルカリ性水が抽出される。
【００２０】
本発明に係るこれらの複数電解槽式電解水生成装置において、前記両有隔膜電解槽を互いに異なる電解条件で電解運転することができ、電解生成酸性水に電解生成アルカリ性水を合体させる場合、一方の有隔膜電解槽からの電解生成アルカリ性水を他方の有隔膜電解槽からの電解生成酸性水に合体する場合と、他方の有隔膜電解槽からの電解生成アルカリ性水を自ら生成される電解生成酸性水に合体する場合とでは、異なるｐＨで異なる殺菌能を有する電解生成酸性水を生成することができる利点がある。
【発明を実施するための最良の形態】
【００２１】
本発明は、複数電解槽式電解水生成装置であって、所望の殺菌能を有する異なるｐＨの電解生成酸性水を選択的に生成することができるようにした複数電解槽式電解水生成装置である。図１には、本発明の一実施形態に係る複数電解槽式電解水生成装置（以下、単に第１の電解水生成装置と称する）を示し、図２には、本発明の他の一実施形態に係る複数電解槽式電解水生成装置（以下、単に第２の電解水生成装置と称する）を示している。図１には、第１の電解水生成装置を模式的に示しており、また、図２には、第２の電解水生成装置を模式的に示している。
【００２２】
第１の電解水生成装置は、本発明に係る第２の複数電解槽式電解水生成装置であって、有隔膜電解槽１０，２０が並列配置されているもので、各有隔膜電解槽１０，２０は、同一の構成に形成されている。各有隔膜電解槽１０，２０は、本発明で規定する第１および第２の有隔膜電解槽に該当するもので、便宜上、第１有隔膜電解槽１０、第２有隔膜電解槽と称する。第１、第２有隔膜電解槽１０，２０は、隔膜１１，２１にて２つの区画室に区画された槽本体１２，２２を備え、槽本体１２，２２の各区画室には電極１３ａ，１３ｂ，２３ａ，２３ｂが配設されていて、各区画室が一対の電解室Ｒ1，Ｒ2に形成されている。各有隔膜電解槽１０，２０は、各電解室Ｒ1，Ｒ2内に被電解水を供給するための供給管路１４，２４を備えるとともに、各電解室Ｒ1，Ｒ2内で生成される各電解生成水を抽出するための抽出管路１５ａ，１５ｂ、および、抽出管路２５ａ，２５ｂを備えている。
【００２３】
第１有隔膜電解槽１０が有する各抽出管路１５ａ，１５ｂは、流路切換弁１６を介して、各電解室Ｒ1，Ｒ2の下流側に接続する導出管路１７ａ，１７ｂに接続されている。第１有隔膜電解槽１０は、電解運転時には、所定時間経過した時点で、各電極１３ａ，１３ｂに印加する電圧を正負反転させて、陽極側電解室を陰極側電解室に変更し、かつ、陰極電解室を陽極側電解室に変更して、電解運転を継続する形式のものであり、印加電圧の反転時には、これと同期して流路切換弁１６を切換動作すべく制御される。これにより、第１有隔膜電解槽１０では、各電解室Ｒ1，Ｒ2の極性が反転されるにも関わらず、各抽出管路１５ａ，１５ｂには設定された側の電解生成水が導入されて、各抽出管路１５ａ，１５ｂからは設定された側の電解生成水が抽出される。本実施形態では、第１抽出管路１５ａが電解生成酸性水専用の抽出管路に設定され、第２抽出管路１５ｂが電解生成アルカリ性水専用の抽出管路に設定されている。
【００２４】
第２有隔膜電解槽２０も第１有隔膜電解槽１０と同様であって、第２有隔膜電解槽２０が有する各抽出管路２５ａ，２５ｂは、流路切換弁２６を介して、各電解室Ｒ1，Ｒ2の下流側に接続する導出管路２７ａ，２７ｂに接続されている。第２有隔膜電解槽２０は、電解運転時には、所定時間経過した時点で、各電極２３ａ，２３ｂに印加する電圧を正負反転させて、陽極側電解室を陰極側電解室に変更し、かつ、陰極電解室を陽極側電解室に変更して、電解運転を継続する形式のものであり、印加電圧の反転時には、これと同期して流路切換弁２６を切換動作すべく制御される。これにより、第２有隔膜電解槽２０では、各電解室Ｒ1，Ｒ2の極性が反転されるにも関わらず、各抽出管路２５ａ，２５ｂには設定された側の電解生成水が導入されて、各抽出管路２５ａ，２５ｂからは設定された側の電解生成水が抽出される。本実施形態では、第１抽出管路２５ａが電解生成酸性水専用の抽出管路に設定され、第２抽出管路２５ｂが電解生成アルカリ性水専用の抽出管路に設定されている。
【００２５】
第１有隔膜電解槽１０が有する第２抽出管路１５ｂは、分岐管路１５ｂ1を備えていて、分岐管路１５ｂ1の分岐部には、流路切換弁１８（３方弁）が介装されている。分岐管路１５ｂ1は、第１抽出管路１５ａの途中に接続されている。当該電解生成アルカリ性水専用の抽出管路１５ｂにおいては、流路切換弁１８を切換動作させることにより、上流側管路部１５ｂ2と、下流側管路部１５ｂ3および分岐管路１５ｂ１との接続状態を選択的に切換えることができる。
【００２６】
第２有隔膜電解槽２０も第１有隔膜電解槽１０と同様であって、第２有隔膜電解槽２０が有する第２抽出管路２５ｂは、分岐管路２５ｂ1を備えていて、分岐管路２５ｂ1の分岐部には、流路切換弁２８（３方弁）が介装されている。分岐管路２５ｂ1は、第１有隔膜電解槽１０が有する第１抽出管路１５ａの途中に接続されている。当該電解生成アルカリ性水専用の第２抽出管路２５ｂにおいては、流路切換弁２８を切換動作させることにより、上流側管路部２５ｂ2と、下流側管路部２５ｂ3および分岐管路２５ｂ１との接続状態を選択的に切換えることができる。
【００２７】
なお、図１中の符号Ａは、被電解水を調製する原水を軟水化処理するための軟水器であり、また、符号Ｂは、被電解水を調製するために原水に添加するための食塩等の電解補助剤である。
【００２８】
本発明に係る第１の電解水生成装置においては、その第１の電解運転では、両有隔膜電解槽１０，２０が有する電解生成酸性水専用の抽出管路１５ａ，２５ａ同士が互いに接続し、かつ、両有隔膜電解槽１０，２０が有する電解生成アルカリ性水専用の抽出管路１５ｂ，２５ｂ同士が互いに接続している状態で電解運転することができる。この場合には、電解生成酸性水専用の抽出管路１５ａからは、設定されている電解条件に対応する特性の強酸性の電解生成酸性水が抽出され、また、電解生成アルカリ性水専用の抽出管路１５ｂからは、設定されている電解条件に対応する特性の強アルカリ性の電解生成酸性水が抽出される。
【００２９】
また、第１の電解水生成装置においては、その第２の電解運転では、両有隔膜電解槽１０，２０が有する電解生成酸性水専用の抽出管路１５ａ，２５ａ同士が互いに接続し、かつ、流路切換弁２８の切換動作により、第２有隔膜電解槽２０が有する電解生成アルカリ性水専用の抽出管路２５ｂを、第１有隔膜電解槽１０が有する電解生成酸性水専用の抽出管路１５ａに接続させた状態で電解運転することができる。この場合には、電解生成酸性水専用の抽出管路１５ａからは、設定されている電解条件に対応する特性の強酸性の電解生成酸性水と強アルカリ性の電解生成アルカリ性水とが合体された酸性または弱酸性の電解生成酸性水が抽出され、また、電解生成アルカリ性水専用の抽出管路１５ｂから、設定されている電解条件に対応する特性の強アルカリ性の電解生成アルカリ性水が抽出される。
【００３０】
また、第１の電解水生成装置においては、その第３の電解運転では、両有隔膜電解槽１０，２０が有する電解生成酸性水専用の抽出管路１５ａ，２５ａ同士が互いに接続し、かつ、流路切換弁１８の切換動作により、第１有隔膜電解槽１０が有する電解生成アルカリ性水専用の抽出管路１５ｂを、第１有隔膜電解槽１０が有する電解生成酸性水専用の抽出管路１５ａに接続させた状態で電解運転することができる。この場合には、電解生成酸性水専用の抽出管路１５ａからは、設定されている電解条件に対応する特性の強酸性の電解生成酸性水と強アルカリ性の電解生成アルカリ性水とが合体された酸性または弱酸性の電解生成酸性水が抽出され、また、電解生成アルカリ性水専用の抽出管路１５ｂから、設定されている電解条件に対応する特性の強アルカリ性の電解生成アルカリ性水が抽出される。
【００３１】
本発明に係る第１の電解水生成装置において、第１有隔膜電解槽１０と第２有隔膜電解槽２０を互いに異なる電解条件で電解運転することができ、この場合は、電解生成酸性水に電解生成アルカリ性水を合体させる場合、第２有隔膜電解槽２０にて生成される電解生成アルカリ性水を第１有隔膜電解槽１０にて生成される電解生成酸性水に合体する場合と、第１有隔膜電解槽１０にて生成される電解生成アルカリ性水を第１有隔膜電解槽１０にて生成される電解生成酸性水に合体する場合とでは、異なるｐＨで異なる殺菌能を有する電解生成酸性水を抽出することができる。異なる電解条件を構成する手段としては、各有隔膜電解槽１０，２０に対する被電解水を互いに異なる供給量とすること、各有隔膜電解槽１０，２０における電解電圧や電解電流を互いに異なる電圧や電流にすること、被電解水中の電解補助剤の濃度を互いに異にすること等の手段を採ることができる。
【００３２】
図２には、本発明に係る第２の電解水生成装置を示している。本発明に係る第２の電解水生成装置は、第１の電解水生成装置とはほぼ同等に構成されているが、下記の点において、第１の電解水生成装置１０の構成とは相違している。従って、第２の電解水生成装置における第１の電解水生成装置と同一の各構成部材および構成部位には、第１の電解水生成装置で使用している符号をそのまま援用してその詳細な説明を省略し、その相違点について以下に説明する。
【００３３】
第２の電解水生成装置が第１の電解水生成装置と相違する第１の点は、第１有隔膜電解槽１０側の電解生成アルカリ性水専用の抽出管路１５ｂの構成が異なる点にある。第１の電解水生成装置における第１有隔膜電解槽１０側の電解生成アルカリ性水専用の抽出管路１５ｂでは分岐管路部１５ｂ1を備えていて、その分岐部に流路切換弁１８が介在しているのに対して、第２の電解水生成装置では、第１有隔膜電解槽１０側の電解生成アルカリ性水専用の抽出管路１５ｂは、分岐管路、および、流路切換弁を備えてはいない。
【００３４】
第２の電解水生成装置が第１の電解水生成装置と相違する第２の点は、第１，第２有隔膜電解槽１０，２０に対して被電解水を供給する供給管路１４，２４の構成が異なる点にある。第１の電解水生成装置では、両供給管路１４，２４の基管路の途中に軟水器Ａが介在していて、各供給管路１４，２４は軟水器Ａから分岐した状態で延びて、各有隔膜電解槽１０，２０の上流側に接続しているのに対して、第２の電解水生成装置では、軟水器Ａは第１有隔膜電解槽１０側の供給管路１４に介在されているが、第２有隔膜電解槽２０側の供給管路２４には介在されておらず、供給管路１４における軟水器Ａの下流側が分岐していて、その分岐管路部１４ａが第２有隔膜電解槽２０側の供給管路２４の途中に、流路切換弁Ｃ（３方弁）を介して接続されている。従って、第１有隔膜電解槽１０に対しては、軟水器Ａにて軟水化処理された原水と電解補助剤Ｂにて調製された被電解水が常に供給されるが、第２有隔膜電解槽２０に対しては、軟水器Ａにて軟水処理された原水と電解補助剤Ｂにて調製された被電解水と、軟水処理されない原水と電解補助剤Ｂにて調製された被電解水とが、流路切換弁Ｃの流路切換動作により選択的に供給される。
【００３５】
本発明に係る第２の電解水生成装置においては、その第１の電解運転では、両有隔膜電解槽１０，２０が有する電解生成酸性水専用の抽出管路１５ａ，２５ａ同士が互いに接続し、かつ、両有隔膜電解槽１０，２０が有する電解生成アルカリ性水専用の抽出管路１５ｂ，２５ｂ同士が互いに接続している状態で電解運転することができる。この場合には、電解生成酸性水専用の抽出管路１５ａからは、設定されている電解条件に対応する特性の強酸性の電解生成酸性水が抽出され、また、電解生成アルカリ性水専用の抽出管路１５ｂからは、設定されている電解条件に対応する特性の強アルカリ性の電解生成酸性水が抽出される。
【００３６】
また、第２の電解水生成装置においては、その第２の電解運転では、両有隔膜電解槽１０，２０が有する電解生成酸性水専用の抽出管路１５ａ，２５ａ同士が互いに接続し、かつ、流路切換弁２８の切換動作により、第２有隔膜電解槽２０が有する電解生成アルカリ性水専用の抽出管路２５ｂを、第１有隔膜電解槽１０が有する電解生成酸性水専用の抽出管路１５ａに接続させた状態で電解運転することができる。この場合には、電解生成酸性水専用の抽出管路１５ａからは、設定されている電解条件に対応する特性の強酸性の電解生成酸性水と強アルカリ性の電解生成アルカリ性水とが合体された酸性または弱酸性の電解生成酸性水が抽出され、また、電解生成アルカリ性水専用の抽出管路１５ｂから、設定されている電解条件に対応する特性の強アルカリ性の電解生成アルカリ性水が抽出される。
【００３７】
本発明に係る第２の電解水生成装置において、第１有隔膜電解槽１０と第２有隔膜電解槽２０を互いに異なる電解条件で電解運転することができる。この場合は、電解生成酸性水専用の抽出管路１５ａから抽出される電解生成酸性水は、両有隔膜電解槽１０，２０を同一の電解条件で電解運転した場合に比較して、異なるｐＨで異なる殺菌能を有する電解生成酸性水を抽出することができる。
【００３８】
本発明に係る第２の電解水生成装置の最大の特徴は、第２有隔膜電解槽２０に対しては、軟水器Ａにて軟水処理された原水と電解補助剤Ｂにて調製された被電解水と、軟水処理されない原水と電解補助剤Ｂにて調製された被電解水とを、流路切換弁Ｃの流路切換動作により選択的に供給することができることにある。
【００３９】
原水を軟水処理する目的は、水道水等の原水中に含まれるＣａやＭｇ等、電解生成アルカリ性水中でスケールの発生原因となる金属成分を除去して、電解生成アルカリ性水専用の抽出管路１５ｂ，２５ｂ等でのスケールの付着を極力抑制することにある。これらの目的を考慮すれば、被電解水を調製するための原水の軟水化処理は常時行うことが望ましいが、軟水器Ａに収納されている軟水化剤（イオン交換樹脂等）の再生処理の頻度が高くなるという問題がある。
【００４０】
一方、第２有隔膜電解槽２０の電解生成アルカリ性水専用の抽出管路２５ｂを、第１有隔膜電解槽１０の電解生成酸性水専用の抽出管路１５ａに接続した状態で電解運転する実施態様では、第２有隔膜電解槽２０で生成される電解生成アルカリ性水は第１有隔膜電解槽１０側の電解生成酸性水専用の抽出管路１５ａ側に導入されることになる。従って、このよう電解運転の実施態様では、第２有隔膜電解槽２０に供給する被電解水は、軟水化処理されない原水と電解補助剤Ｂにて調製された被電解水で十分であり、このため、当該電解運転の実施態様では、流路切換弁Ｃの流路切換動作により、第２有隔膜電解槽２０に対しては、軟水化処理されない原水と電解補助剤Ｂにて調製された被電解水を選択して供給することができる。当該電解運転の実施態様を採れば、軟水化処理するための軟水化剤の負荷が軽減されて使用寿命がのびることになり、軟水化剤の再生頻度を低減することができるという利点がある。
【実施例】
【００４１】
本実施例では、図１に示す第１の電解水生成装置を使用して、第１有隔膜電解槽１０では、被電解水の１分当たりの流量を１Ｌ（１Ｌ／分）とし、第２有隔膜電解槽２０では、被電解水の１分当たりの流量を２Ｌ（２Ｌ／分）とするが、それ以外は同一の電解条件をする電解運転を試みた。当該電解運転では、下記の３つの電解運転を実行した。
【００４２】
第１電解運転：第１電解運転は、両有隔膜電解槽１０，２０が有する電解生成酸性水専用の抽出管路１５ａ，２５ａ同士が互いに接続し、かつ、両有隔膜電解槽１０，２０が有する電解生成アルカリ性水専用の抽出管路１５ｂ，２５ｂ同士が互いに接続している状態での電解運転である。
【００４３】
第２電解運転：第２電解運転は、両有隔膜電解槽１０，２０が有する電解生成酸性水専用の抽出管路１５ａ，２５ａ同士が互いに接続し、かつ、流路切換弁１８の切換動作により、第１有隔膜電解槽１０が有する電解生成アルカリ性水専用の抽出管路１５ｂを、第１有隔膜電解槽１０が有する電解生成酸性水専用の抽出管路１５ａに接続させている状態での電解運転である。
【００４４】
第３電解運転：第３電解運転は、両有隔膜電解槽１０，２０が有する電解生成酸性水専用の抽出管路１５ａ，２５ａ同士が互いに接続し、かつ、流路切換弁２８の切換動作により、第２有隔膜電解槽２０が有する電解生成アルカリ性水専用の抽出管路２５ｂを、第１有隔膜電解槽１０が有する電解生成酸性水専用の抽出管路１５ａに接続させている状態での電解運転である。
【００４５】
また、第１の電解水生成装置において、上記した電解条件で、第１有隔膜電解槽１０および第２有隔膜電解槽２０の単独の電解運転を実行して、これらの有隔膜電解槽１０，２０にて生成される各電解生成水の特性を測定した。当該測定結果については、下記の表１に示す。また、上記した第１〜第３電解運転の実行でも、生成される各電解生成水の特性を測定した。当該測定結果については、下記の表２に示す。
【００４６】
【表１】
2009050779.tif 000003
【００４７】
【表２】
2009050779.tif 000004
【図面の簡単な説明】
【００４８】
【図１】本発明に係る複数電解槽式電解水生成装置の一実施形態を模式的に示す全体構成図である。
【図２】本発明に係る複数電解槽式電解水生成装置の他の実施形態を模式的に示す全体構成図である。
【符号の説明】
【００４９】
１０，２０…有隔膜電解槽、１１，２１…隔膜、１３ａ，１３ｂ、２３ａ，２３ｂ…電極、１４，２４…供給管路、１４ａ…分岐管路、１５ａ，２５ａ…第１抽出管路（電解生成酸性水専用の抽出管路）、１５ｂ，２５ｂ…第２抽出管路（電解生成アルカリ性水専用の抽出管路）、１５ｂ1，２５ｂ1…分岐管路、１５ｂ2，２５ｂ2…上流側管路部、１５ｂ3，２５ｂ3…下流側管路部、１６，２６…流路切換弁、１７ａ，１７ｂ…導出管路、２７ａ，２７ｂ…導出管路、１８，２８…流路切換弁、Ａ…軟水器、Ｂ…電解補助剤、Ｃ…流路切換弁、Ｒ1，Ｒ2…電解室。
【図１】
2009050779.tif 000005
【図２】
2009050779.tif 000006